(57)【特許請求の範囲】
【請求項１】
エキスパンドジョントで分割された建造物にそれぞれ固定される複数の固定フレームと、エキスパンドジョント上に位置する揺動フレームと、を備えた動く歩道において、
揺動フレームの長さ方向両端部と固定フレームを連結するそれぞれ１対の連結装置を備え、各連結装置は、フレームの幅方向に水平に延びるリンクアームを備え、該リンクアームの両端部はそれぞれ揺動フレーム及び固定フレームに垂直ピンを中心に回転可能に枢着されており、かつ該垂直ピンはラバーブッシュを介して支持され、これにより荷重の作用方向に垂直ピンが揺動する、ことを特徴とする動く歩道の耐震構造。
【請求項２】
前記１対の連結装置は、フレームの幅方向に同一の向きに配置されている、ことを特徴とする請求項１に記載の動く歩道の耐震構造。
【請求項３】
前記１対の連結装置は、フレームの中心線に対して対称に配置されている、ことを特徴とする請求項１に記載の動く歩道の耐震構造。
【請求項４】
エキスパンドジョントで分割された建造物にそれぞれ固定される複数の固定フレームと、エキスパンドジョント上に位置する揺動フレームと、この揺動フレームの幅方向位置を規制する幅位置決め装置と、を備えた動く歩道において、揺動フレームの長さ方向両端部と固定フレームを連結する連結装置を備え、該連結装置は、フレームの中心線上に設けられ可撓部材を中間に挟持したラバージョントからなり、
前記幅位置決め装置は、揺動フレームの下方に設けられた案内板と、この案内板上を転がることができるように揺動フレームに固定されたボールと、からなり、
前記案内板の上面は、その中心部が凹み、周辺が膨らんだすり鉢状の凹みになっている、ことを特徴とする動く歩道の耐震構造。
【発明の詳細な説明】
【０００１】
【発明の属する技術分野】
本発明は、分割されたフレームからなる動く歩道の耐震構造に関する。
【０００２】
【従来の技術】
動く歩道は、駅、空港ターミナル、都市交通などの公共施設、競技場コンコース、連絡通路、屋内・屋外スポーツ施設など幅広い分野に設置されており、連続運転により多数の人を待ち時間なしで輸送するのに適している。かかる動く歩道には、踏板の構造によりパレット式とベルト式があり、更に、ベルト式には、ベルトの幅方向の両端をローラで支持するもの（ローラ支持型）と、ベルトの下面全面を平板状部材で支持するもの（平板支持型）とがある。
【０００３】
図４はベルト式動く歩道の側面図である。この図において、１はローラ支持型の動く歩道、１ａはベルト駆動プーリ、１ｂはベルト緊張プーリ、１ｃはベルト駆動装置、３はスナブプーリ、５はベルト、５ａはリターン側ベルト、７はベルト支持ローラ、９はリターンベルト支持ローラ、１０は移動手すり側面パネル、１１は移動手すりである。無端の踏板ベルト５は、ベルト駆動プーリ１ａとベルト緊張プーリ１ｂとの間を巻回され、その幅方向両端部が多数のベルト支持ローラ７で支持されている。ベルト駆動プーリ１ａの回転駆動により動く歩道の移動方向にベルト５の上面が移動し、リターン側ベルト５ａは反対方向に移動する。ベルト緊張プーリ１ｂは、ベルトに弛みができないように、ベルト駆動プーリ１ａから離れる方向に付勢されている。また、移動手すり１１は、ベルト５と同期して移動手すり側面パネル１０の上面に沿って移動するようになっている。
【０００４】
図５は、図４の中央部横断面図である。この図において、２は動く歩道１のフレーム、６はスカートパネル、８は幅方向の幅ガイドローラである。ベルト５とスカートパネル６との間にはベルト５が回動できるようにわずかな隙間が設けられている。多数の幅ガイドローラ８は、ベルト５の両端面に接して案内し、ベルトの蛇行等を防止するようになっている。
【０００５】
なお、平板支持型の動く歩道の場合でも、基本構造は同様である。上述したように、動く歩道は、構造が比較的簡単でメンテナンスが容易であり、傾斜させて設けることも、平坦に床面に設けることもできる、等の特徴を有している。
【０００６】
【発明が解決しようとする課題】
上述した動く歩道のフレーム２は、従来、一体であり、このフレーム上に各構成部品が取り付けられていた。しかし、動く歩道の全長が長い場合には、建築物に地震対策として設けられたエキスパンドジョント上を跨いで動く歩道を設置しなければならない場合がある。この場合、動く歩道のフレームを建物に固定すると、地震等でエキスパンドジョントの両側の建物が振動し変位が生じた場合にフレームが変形し、ベルト５を円滑に案内できなくなる問題点があった。
【０００７】
かかる問題点を解決するために、例えば、「動く歩道における耐震構造」（特開平５−２５４７７１号）が提案されている。この耐震構造は、フレームを中間フレームと揺動フレームで構成し、建物のエキスパンドジョント上に揺動フレームを位置させ、揺動フレームの一端をピンジョントで前方の中間フレームと連結し、他端をスライド式ピンジョントで後方の中間フレームと連結するものである。
【０００８】
しかし、かかる従来の耐震構造では、スライド式ピンジョントに摺動部を必要とし、この摺動部で偏摩耗や腐食が発生しやすく、長期使用後の地震時に円滑に機能しないことがある問題点があった。また、ピンジョントとスライド式ピンジョントで連結された揺動フレームは、エキスパンドジョントを挟む建物間の水平な変位には追従できるが、垂直変位に追従できず、垂直変位があると、中間フレームに無理な力が作用し、中間フレームが上下方向に変形して動く歩道の円滑な作動ができなくなる問題点があった。
【０００９】
本発明は、かかる問題点を解決するために創案されたものである。すなわち、本発明の目的は、偏摩耗や腐食が生じにくく、長期にわたり安定して円滑に作動し、かつ各フレームの中心位置を実質的に保持したまま、建物間の水平変位のみならず垂直変位にも追従することができる動く歩道の耐震構造を提供することにある。
【００１０】
【課題を解決するための手段】
本発明によれば、エキスパンドジョントで分割された建造物にそれぞれ固定される複数の固定フレームと、エキスパンドジョント上に位置する揺動フレームと、を備えた動く歩道において、揺動フレームの長さ方向両端部と固定フレームを連結するそれぞれ１対の連結装置を備え、各連結装置は、フレームの幅方向に水平に延びるリンクアームを備え、該リンクアームの両端部はそれぞれ揺動フレーム及び固定フレームに垂直ピンを中心に回転可能に枢着されており、かつ該垂直ピンはラバーブッシュを介して支持され、これにより荷重の作用方向に垂直ピンが揺動する、ことを特徴とする動く歩道の耐震構造が提供される。
【００１１】
本発明の好ましい実施形態によれば、前記１対の連結装置は、フレームの幅方向に同一の向きに配置されている。また、前記１対の連結装置を、フレームの中心線に対して対称に配置してもよい。
【００１２】
上述した本発明の構成により、リンクアームの両端部での揺動と、リンクアームの両端を支持する垂直ピンのラバーブッシュによる荷重作用方向の揺動とにより、各フレームの中心位置を実質的に保持したまま、建物間の水平変位のみならず垂直変位にも追従して、ベルトを円滑に案内することができる。また、偏摩耗や腐食が発生しやすい摺動部がないので、偏摩耗や腐食が生じにくく、長期にわたり安定して円滑に作動することができる。
【００１３】
また，本発明によれば、エキスパンドジョントで分割された建造物にそれぞれ固定される複数の固定フレームと、エキスパンドジョント上に位置する揺動フレームと、この揺動フレームの幅方向位置を規制する幅位置決め装置と、を備えた動く歩道において、揺動フレームの長さ方向両端部と固定フレームを連結する連結装置を備え、該連結装置は、フレームの中心線上に設けられ可撓部材を中間に挟持したラバージョントからなり、前記幅位置決め装置は、揺動フレームの下方に設けられた案内板と、この案内板上を転がることができるように揺動フレームに固定されたボールと、からなり、前記案内板の上面は、その中心部が凹み、周辺が膨らんだすり鉢状の凹みになっている、ことを特徴とする動く歩道の耐震構造が提供される。この構成によれば、ラバージョントにより固定フレームと揺動フレームを連結するだけで、各フレームの中心位置を保持したまま、建物間の水平変位のみならず垂直変位にも追従して、ベルトを円滑に案内することができ、単純で錆ない構造とすることができる。
【００１４】
【発明の実施の形態】
図１は、本発明の動く歩道の耐震構造の第１実施形態を示す図であり、（Ａ）は平面図、（Ｂ）は側面図を示している。この図において、動く歩道１２は、エキスパンドジョント１３で分割された建造物１４ａ，１４ｂにそれぞれ固定される複数の固定フレーム１５と、エキスパンドジョント１３上に位置する揺動フレーム１６とを備えている。すなわち、本発明の耐震構造では、動く歩道を構成するフレームが複数の固定フレーム１５と揺動フレーム１６とで構成されており、このフレーム上に図４及び図５に示した各構成部品が取り付けられている。
【００１５】
図１に示すように、本発明の耐震構造では、揺動フレーム１６の長さ方向両端部と固定フレーム１５をそれぞれ連結する１対の連結装置１７を備える。この各連結装置１７は、フレームの幅方向に水平に延びるリンクアーム１７ａを備え、このリンクアーム１７ａの両端部はそれぞれ揺動フレーム及び固定フレームに垂直ピン１７ｂを中心に回転可能に枢着されている。更に垂直ピン１７ｂは可撓性を有するラバーブッシュを介して支持され、荷重の作用方向に垂直ピン１７ｂが揺動できるようになっている。また、図１の実施形態において、１対の連結装置１７は、フレームの幅方向に同一の向きに配置されている。
【００１６】
なお、本発明はこの構成に限定されず、１対の連結装置１７をフレームの中心線に対して対称に配置してもよい。また、リンクアーム１７ａの長さ、及びラバーブッシュの可撓範囲は、耐震構造として要望される相対変位の大きさに合わせて適宜設定する。
【００１７】
更に、図１に示すように、揺動フレーム１６は、複数の垂直荷重支持装置１８で支持されている。この垂直荷重支持装置１８は、ベアリングや高分子樹脂等からなる滑り材からなり、垂直荷重を支持しながら揺動フレーム１６の前後方向及び幅方向の動きに追従してスライドできるようになっている。
更に、この実施例では、揺動フレームの幅方向位置を規制する幅位置決め装置１９を備えている。図３は、幅位置決め装置１９の拡大図（Ａ）とその側面断面図（Ｂ）である。図３に示すように、この幅位置決め装置１９は、揺動フレーム１６に固定されバネ１９ａで下向きに付勢されたボール１９ｂと、ボール１９ｂを長手方向に案内する案内板１９ｃとからなる。案内板１９ｃの上面は、幅方向中心部が凹み、幅方向両端部が膨らんだ円筒状の溝になっており、ボール１９ｂが案内板１９ｃの上面を転がることにより、揺動フレームの軸方向の移動を許容し、幅方向の移動を規制するようになっている。
【００１８】
上述した構成により、リンクアーム１７ａの両端部での揺動と、リンクアーム１７ａの両端を支持する垂直ピン１７ｂのラバーブッシュによる荷重作用方向の揺動とにより、揺動フレーム１６の幅方向の移動を阻止しながら、揺動フレーム１６の前後移動を許容し、各フレームの中心位置を実質的に保持したまま、建物間の水平変位のみならず垂直変位にも追従して、ベルトを円滑に案内することができる。また、偏摩耗や腐食が発生しやすい摺動部がないので、偏摩耗や腐食が生じにくく、長期にわたり安定して円滑に作動することができる。
【００１９】
図２は、本発明の動く歩道の耐震構造の第２実施形態を示す図である。この図において、本発明の耐震構造では、揺動フレーム１６の長さ方向両端部と固定フレーム１５を連結する連結装置２１を備えている。この連結装置２１は、フレームの中心線上に設けられ可撓部材を中間に挟持したラバージョントからなる。ラバージョントの可撓範囲は、耐震構造として要望される相対変位の大きさに合わせて適宜設定する。また、この実施形態では、幅位置決め装置１９の案内板１９ｃの上面は、中心部が凹み、周辺が膨らんだすり鉢状の凹みになっており、通常はボール１９ｂが中心部に位置し、外力によりボール１９ｂが凹んで案内板１９ｃの上面を転がることにより、揺動フレームのあらゆる方向の移動を許容できるようになっている。その他の構成は、図１の実施形態と同様である。
【００２０】
この構成により、ラバージョントにより固定フレーム１５と揺動フレーム１６を連結するだけで、各フレームの中心位置を保持したまま、建物間の水平変位のみならず垂直変位にも追従して、ベルトを円滑に案内することができ、単純で錆ない構造とすることができる。
【００２１】
なお本発明は、上述した実施形態に限定されるものではなく、本発明の要旨を逸脱しない範囲で種々の変更ができることは勿論である。例えば、上述した実施形態では、揺動フレームの両端に同一構造の連結装置を備えているが、一方の端部にリンク方式の１対の連結装置１７を取り付け、他方の端部にラバー方式の連結装置２１を取り付けてもよい。
【００２２】
【発明の効果】
上述したように、本発明の動く歩道の耐震構造は、偏摩耗や腐食が生じにくく、長期にわたり安定して円滑に作動し、かつ各フレームの中心位置を実質的に保持したまま、建物間の水平変位のみならず垂直変位にも追従することができる、等の優れた効果を有する。
【図面の簡単な説明】
【図１】本発明の動く歩道の耐震構造の第１実施形態を示す図である。
【図２】本発明の動く歩道の耐震構造の第２実施形態を示す図である。
【図３】幅位置決め装置の構成図である。
【図４】従来の動く歩道の側面図である。
【図５】従来の動く歩道の横断面図である。
【符号の説明】
１  動く歩道
１ａ  ベルト駆動プーリ
１ｂ  緊張プーリ
１ｃ  ベルト駆動プーリ駆動装置
２  フレーム
３  スナブプーリ
４  設置場所
５  踏板ベルト
６  スカートパネル
７  支持ローラ
８  幅ガイドローラ
９  リターンベルト支持ローラ
１０  移動手すり側面パネル
１１  移動手すり
１２  動く歩道
１３  エキスパンドジョイント
１４ａ，１４ｂ  建造物
１５  固定フレーム
１６  揺動フレーム
１７  連結装置
１７ａ  リンクアーム
１７ｂ  垂直ピン
１８  垂直荷重支持装置
１９  幅位置決め装置
１９ａ  バネ
１９ｂ  ボール
１９ｃ  案内板
２１  連結装置
【図１】
0003801743.tif 000002
【図２】
0003801743.tif 000003
【図３】
0003801743.tif 000004
【図４】
0003801743.tif 000005
【図５】
0003801743.tif 000006